(57)【要約】【課題】ＣＡＤシステム等の建築物の図面を用いて、取付部位に当てはめる部材を選択する操作において、使用性に優れた設計支援装置、設計支援システム及び設計支援プログラムを提供する。【解決手段】設計支援装置１は、部材として表示させた建築物に関する取付部位の指定を受け付け、指定された取付部位に対応する部材を示す部材情報を表示させる。部材情報の表示形式は、部材の第１属性を行方向とし、部材の第２属性を列方向として分類した行列形式となる。そして、設計支援装置１は、行列形式で表示された部材情報の選択を受け付け、選択を受け付けた部材情報に基づいて、建築物の図面を再表示させる。【選択図】図６
2020113093.tif 000002
【特許請求の範囲】
【請求項１】
取付部位に部材を当てはめて形成される建築物の図面を表示させる設計支援装置であって、
建築物に対する取付部位を示す取付部位情報に対応付けて、複数の属性を有する部材を示す部材情報を記録している部材情報データベースにアクセスする手段と、
図面として表示させた建築物に関する取付部位の指定を受け付ける手段と、
前記部材情報データベースにアクセスして、指定された取付部位を示す取付部位情報に対応付けられている複数の部材情報を抽出する手段と、
抽出した部材情報を、部材の第１属性を行方向とし、部材の第２属性を列方向として分類した行列形式で表示させる行列表示手段と、
行列形式で表示された部材情報の選択を受け付ける選択手段と
を備えることを特徴とする設計支援装置。
【請求項２】
請求項１に記載の設計支援装置であって、
前記選択手段が選択を受け付けた部材情報に基づいて建築物の図面を再表示させる手段を備える
ことを特徴とする設計支援装置。
【請求項３】
請求項１又は請求項２に記載の設計支援装置であって、
前記第１属性は、部材の寸法を示す情報を含み、
前記第２属性は、部材の種類を示す情報を含む
ことを特徴とする設計支援装置。
【請求項４】
請求項１乃至請求項３のいずれか１項に記載の設計支援装置であって、
前記行列表示手段は、部材の第３属性に応じた表示方法の符号を、行列形式で配置したセルに表示する
ことを特徴とする設計支援装置。
【請求項５】
請求項４に記載の設計支援装置であって、
前記第３属性は、選択の可否及び選択可能な級を示す情報を含む
ことを特徴とする設計支援装置。
【請求項６】
請求項１乃至請求項５のいずれか１項に記載の設計支援装置であって、
前記行列表示手段は、
前記部材の第４属性毎に分類された行列形式で表示可能である
ことを特徴とする設計支援装置。
【請求項７】
請求項６に記載の設計支援装置であって、
前記第４属性は、部材の用途を示す
ことを特徴とする設計支援装置。
【請求項８】
請求項１乃至請求項７のいずれか１項に記載の設計支援装置であって、
部材毎の使用実績を集計した集計情報を記録している集計情報データベースにアクセスする手段と、
前記集計情報データベースにアクセスして集計情報を抽出する手段と、
抽出した集計情報を、部材の第１属性を行方向とし、部材の第２属性を列方向として分類した行列形式で表示させる手段と
を備えることを特徴とする設計支援装置。
【請求項９】
請求項１乃至請求項８のいずれか１項に記載の設計支援装置と、
前記設計支援装置がアクセス可能な部材情報データベースと
を備えることを特徴とする設計支援システム。
【請求項１０】
取付部位を示す取付部位情報に対応付けて複数の属性を有する部材を示す部材情報を記録している部材情報データベースにアクセス可能なコンピュータに、取付部位に部材を当てはめて形成される建築物の図面を用いて実行される設計支援プログラムであって、
コンピュータに、
図面として表示させた建築物に関する取付部位の指定を受け付けるステップと、
前記部材情報データベースにアクセスして、指定された取付部位を示す取付部位情報に対応付けられている複数の部材情報を抽出するステップと、
抽出した部材情報を、部材の第１属性を行方向とし、部材の第２属性を列方向として分類した行列形式で表示させるステップと、
行列形式で表示された部材情報の選択を受け付けるステップと
を実行させることを特徴とする設計支援プログラム。
【発明の詳細な説明】
【技術分野】
【０００１】
本発明は、取付部位に部材を当てはめて形成される建築物の図面を表示させる設計支援装置、そのような設計支援装置を備える設計支援システム、及びそのような設計支援装置を実現するための設計支援プログラムに関する。
【背景技術】
【０００２】
建築物の設計をコンピュータで支援するＣＡＤ（Computer Aided Design ）システムが普及している。例えば、特許文献１では、ＣＡＤシステムを用いて、住宅の間取り図を描画し、間取り図から住宅に必要な部材を選択する工業化注文住宅設計システムを開示している。
【先行技術文献】
【特許文献】
【０００３】
【特許文献１】特開２００１−１８８８１２号公報
【発明の概要】
【発明が解決しようとする課題】
【０００４】
しかしながら、特許文献１に開示されたシステムでは、部材を選択するユーザインタフェースについて十分な検討がなされておらず、使用性（ユーザビリティ）についての問題がある。
【０００５】
本発明は斯かる事情に鑑みてなされたものであり、建築物に関する取付部位に当てはめる部材を、行列形式で表示させた部材情報から選択可能とすることにより、部材の選択に関する使用性を向上させることが可能な設計支援装置の提供を目的とする。
【０００６】
また、本発明は、本発明に係る設計支援装置を備える設計支援システムの提供を他の目的とする。
【０００７】
また、本発明は、本発明に係る設計支援装置を実現するための設計支援プログラムの提供を更に他の目的とする。
【課題を解決するための手段】
【０００８】
上記課題を解決するために本願記載の設計支援装置は、取付部位に部材を当てはめて形成される建築物の図面を表示させる設計支援装置であって、建築物に対する取付部位を示す取付部位情報に対応付けて、複数の属性を有する部材を示す部材情報を記録している部材情報データベースにアクセスする手段と、図面として表示させた建築物に関する取付部位の指定を受け付ける手段と、前記部材情報データベースにアクセスして、指定された取付部位を示す取付部位情報に対応付けられている複数の部材情報を抽出する手段と、抽出した部材情報を、部材の第１属性を行方向とし、部材の第２属性を列方向として分類した行列形式で表示させる行列表示手段と、行列形式で表示された部材情報の選択を受け付ける選択手段とを備えることを特徴とする。
【０００９】
また、本願記載の設計支援装置において、前記選択手段が選択を受け付けた部材情報に基づいて建築物の図面を再表示させる手段を備えることを特徴とする。
【００１０】
また、本願記載の設計支援装置において、前記第１属性は、部材の寸法を示す情報を含み、前記第２属性は、部材の種類を示す情報を含むことを特徴とする。
【００１１】
また、本願記載の設計支援装置において、前記行列表示手段は、部材の第３属性に応じた表示方法の符号を、行列形式で配置したセルに表示することを特徴とする。
【００１２】
また、本願記載の設計支援装置において、前記第３属性は、選択の可否及び選択可能な級を示す情報を含むことを特徴とする。
【００１３】
また、本願記載の設計支援装置において、前記行列表示手段は、前記部材の第４属性毎に分類された行列形式で表示可能であることを特徴とする。
【００１４】
また、本願記載の設計支援装置において、前記第４属性は、部材の用途を示すことを特徴とする。
【００１５】
また、本願記載の設計支援装置において、部材毎の使用実績を集計した集計情報を記録している集計情報データベースにアクセスする手段と、前記集計情報データベースにアクセスして集計情報を抽出する手段と、抽出した集計情報を、部材の第１属性を行方向とし、部材の第２属性を列方向として分類した行列形式で表示させる手段とを備えることを特徴とする。
【００１６】
更に、本願記載の設計支援システムは、前記設計支援装置と、前記設計支援装置がアクセス可能な部材情報データベースとを備えることを特徴とする。
【００１７】
更に、本願記載の設計支援プログラムは、取付部位を示す取付部位情報に対応付けて複数の属性を有する部材を示す部材情報を記録している部材情報データベースにアクセス可能なコンピュータに、取付部位に部材を当てはめて形成される建築物の図面を用いて実行される設計支援プログラムであって、コンピュータに、図面として表示させた建築物に関する取付部位の指定を受け付けるステップと、前記部材情報データベースにアクセスして、指定された取付部位を示す取付部位情報に対応付けられている複数の部材情報を抽出するステップと、抽出した部材情報を、部材の第１属性を行方向とし、部材の第２属性を列方向として分類した行列形式で表示させるステップと、行列形式で表示された部材情報の選択を受け付けるステップとを実行させることを特徴とする。
【００１８】
従って、本願記載の設計支援装置、設計支援システム及び設計支援プログラムは、部材情報の選択に係る使用性に優れている。
【発明の効果】
【００１９】
本発明では、建築物の図面を表示させた建築物に関する取付部位の指定を受け付け、指定された取付部位に関する部材情報を、第１属性を行方向に、第２属性を列方向に示す行列形式で表示させる。これにより、行列形式で表示させた部材情報から、所望する属性の部材を選択することができるので、部材の選択に関する使用性を向上させることが可能である等、優れた効果を奏する。
【図面の簡単な説明】
【００２０】
【図１】本願記載の設計支援システムの構成の一例を概念的に示す説明図である。
【図２】本願記載の設計支援装置の構成例を概念的に示すブロック図である。
【図３】本願記載の設計支援装置の部材選択処理の一例を示すフローチャートである。
【図４】本願記載の設計支援装置が備える表示部に表示される画像の一例を示す説明図である。
【図５】本願記載の設計支援装置が備える表示部に表示される画像の一例を示す説明図である。
【図６】本願記載の設計支援装置が備える表示部に表示される画像の一例を示す説明図である。
【図７】本願記載の設計支援装置が備える表示部に表示される画像の一例を示す説明図である。
【図８】本願記載の設計支援装置の集計情報表示処理の一例を示すフローチャートである。
【図９】本願記載の設計支援装置が備える表示部に表示される画像の一例を示す説明図である。
【図１０】本願記載の設計支援装置が備える表示部に表示される画像の一例を示す説明図である。
【図１１】本願記載の設計支援処理の記録／終了処理の一例を示すフローチャートである。
【図１２】本願記載の設計支援装置が備える表示部に表示される画像の一例を示す説明図である。
【発明を実施するための形態】
【００２１】
以下、本発明の実施形態について詳述する。なお、以下の実施形態は、本発明を具現化した一例であって、本発明の技術範囲を限定する性格のものではない。
【００２２】
＜システム構成＞
図１は、本願記載の設計支援システムの構成の一例を概念的に示す説明図である。本願記載の設計支援システムは、住宅等の建築物に関する間取り図等の図面を作成及び表示するＣＡＤ（Computer Aided Design ）システム等のシステムを実行可能な設計支援装置１を備えるシステムである。設計支援装置１は、ノート型コンピュータ、デスクトップ型コンピュータ、タブレット型コンピュータ等のコンピュータを用いて構成されている。設計支援装置１は、インターネット、ＷＡＮ（Wide Area Network ）、ＬＡＮ（Local Area Network）、その他専用通信網等の通信網に接続されている。設計支援装置１は、建築物の設計担当者、顧客と共に注文住宅を検討する営業担当者等の使用者により使用される。
【００２３】
通信網には、設計支援装置１の他、資材部、商品開発部等の管理部門で各担当者に使用されるコンピュータを用いた管理支援装置２、工場、倉庫等の生産物流部門で各担当者に使用されるコンピュータを用いた生産支援装置３等の各種装置が接続されている。また、各担当者が使用するコンピュータの他、通信網には、設計プラン情報データベースＤＢ１、部材情報データベースＤＢ２、物件情報データベースＤＢ３、集計情報データベースＤＢ４、在庫情報データベースＤＢ５等の各種データベースとして用いられるデータベースサーバが接続されている。
【００２４】
設計プラン情報データベースＤＢ１には、顧客（施主）を特定する顧客ＩＤに対応付けて、ＣＡＤシステムにて建築物の図面を表示させるためのＣＡＤデータ等の設計に関する情報が記録されている。
【００２５】
部材情報データベースＤＢ２には、建築物に対する取付部位を示す取付部位情報に対応付けて、複数の属性を有する部材を示す部材情報が記録されている。取付部位としては、部材を取り付ける「ドア」、「窓」等の情報が記録されている。属性としては、部材の寸法を含む情報（第１属性）、部材の種類を示す情報（第２属性）、選択の可否及び選択可能な級を示す情報（第３属性）、部材の用途を示す情報（第４属性）等の情報が設定されている。第１属性としては、例えば、部材の寸法として幅を示す情報が設定される。第２属性としては、部材の種類を示す情報が設定されており、部材の種類には、部材の高さ方向の寸法を示す情報が含まれている。なお、第１属性となる寸法と、第２属性となる寸法を含む種類とは適宜設定することが可能であるが、後述するように行列表示が可能なように、包含関係にない寸法及び種類が選択される。第３属性となる選択の可否とは、取付部位に対して選択可能か否かを示す情報であり、第３属性の選択可能な種類としては、選択可能である場合において、「推奨」、「標準」、「特注」等の級を示す情報が設定されている。第４属性の部材の用途としては、「１階（軸高標準）」、「１階（軸高２４２ＵＰ）」、「２階（軸高標準）」、「フラットペントハウス（屋上内）」等の情報が設定されている。更に、特定の部材情報に対しては、部材に関連する関連部材を示す関連部材情報が対応付けて記録されている。関連部材とは、例えば、「窓」に取り付ける部材「サッシ」に関連する「網戸」、「雨戸」等の部材を示す。なお、「戸車」、「クレセント」等の付属部材も関連部材として登録することが可能である。
【００２６】
物件情報データベースＤＢ３には、顧客（施主）を特定する顧客ＩＤに対応付けて、建築物の種類及び属性、建築場所、費用等の顧客及び施工する建築物に関する情報が記録されている。建築物の種類及び属性としては、ＲＣ造、木造等の情報が記録されている。
【００２７】
集計情報データベースＤＢ４には、部材毎の使用実績を集計した集計情報が記録されている。
【００２８】
在庫情報データベースＤＢ５には、部材の在庫を示す情報が記録されている。
【００２９】
設計支援装置１は、ＣＡＤシステムによる建築物の設計、建築物に用いられる部材の選択等の処理に用いられる。
【００３０】
管理支援装置２は、各種データベースに記録すべき情報の管理、例えば、部材の設計、登録等の業務の他、在庫情報データベースＤＢ５にアクセスして、生産指示、物流指示等の業務に用いられる。
【００３１】
生産支援装置３は、在庫情報データベースＤＢ５にアクセスして、生産管理、物流管理等の業務に用いられる。
【００３２】
＜装置のハードウェア構成＞
次に、設計支援システムにて用いられる設計支援装置１の構成について説明する。図２は、本願記載の設計支援装置１の構成例を概念的に示すブロック図である。設計支援装置１は、制御部１０、記録部１１、記憶部１２、入力部１３、表示部１４、出力部１５、通信部１６等の各種構成を備えている。
【００３３】
制御部１０は、情報処理回路、計時回路、レジスタ回路等の各種回路を備え、装置全体を制御する処理を実行するＣＰＵ（Central Processing Unit ）等のプロセッサである。
【００３４】
記録部１１は、ハードディスク、ＲＡＩＤ（Redundant Arrays of Inexpensive Disks ）、フラッシュメモリ等の不揮発性メモリ、及び各種ＲＡＭ（Random Access Memory）等の揮発性メモリを用いて構成される回路であり、様々な情報を記録している。記録部１１には、基本プログラム（ＯＳ：Operating System）、基本プログラム上で動作する応用プログラム（アプリケーションプログラム）等のプログラムを記録している。応用プログラムとしては、本願記載の設計支援装置１を実現するための設計支援プログラム１１０、ＣＡＤシステムを実現するためのＣＡＤプログラム１１１等の各種プログラムが記録されている。
【００３５】
また、記録部１１の記録領域の一部は、設計プラン情報データベースＤＢＬ１、部材情報データベースＤＢＬ２、物件情報データベースＤＢＬ３、集計情報データベースＤＢＬ４等の各種データベースとして用いられる。設計プラン情報データベースＤＢＬ１、部材情報データベースＤＢＬ２、物件情報データベースＤＢＬ３、集計情報データベースＤＢＬ４等の各種データベースの記録内容は、通信網に接続されている同名のデータベースと実質的に同様又はその一部を抽出したローカル用のデータベースである。
【００３６】
記憶部１２は、揮発性メモリを用いて構成される回路であり、各種プログラムの実行に際して発生するデータを一時的に記憶する。なお、便宜上、記録部１１及び記憶部１２を異なる回路として示しているが、一の回路で構成しても良く、また相互にその機能を補完することも可能である。
【００３７】
入力部１３は、キーボード、マウス、タッチパネル、デジタイザ等のデバイスである。表示部１４は、液晶ディスプレイ等のデバイスである。なお、入力部１３及び表示部１４を、例えば、薄板状をなす液晶ディスプレイとタッチパネルとを積層した液晶タッチパネルとして備えるようにしてもよい。
【００３８】
出力部１５は、プリンタ等のデバイスである。
【００３９】
通信部１６は、ＬＡＮアダプタ、アンテナ及び制御回路等のデバイスであり、有線通信又は無線通信にて通信網に接続し、各種データベースを含む各種装置と通信する。
【００４０】
以上例示した様々な構成を備えるコンピュータは、制御部１０の制御により、記録部１１に記録されている設計支援プログラム１１０、ＣＡＤプログラム１１１等の各種プログラムを読み取り、適宜、記憶部１２に各種情報を記憶させ、各種手順を実行することにより、設計支援装置１として動作する。
【００４１】
なお、各種データベースへのアクセスについては、制御部１０及び通信部１６をアクセス手段として、通信網を介して接続されている各種データベースにアクセスしてもよく、制御部１０をアクセス手段として、記録部１１に記録されているローカルの各種データベースにアクセスしてもよい。以降では、通信網を介して接続されている各種データベースにアクセスする形態を例示して説明する。
【００４２】
＜装置のソフトウェア処理＞
次に、設計支援システムにて用いられる設計支援装置１の処理について説明する。図３は、本願記載の設計支援装置１の部材選択処理の一例を示すフローチャートである。部材選択処理は、ＣＡＤシステムによる建築物の設計中に、建築物に取り付ける部材を選択する処理である。設計支援装置１が備える制御部１０は、設計支援プログラム１１０、ＣＡＤプログラム１１１等の各種プログラムを実行することにより、部材選択処理を実行する。
【００４３】
設計支援装置１が備える制御部１０は、ＣＡＤ処理を実行する（Ｓ１０１）。ステップＳ１０１のＣＡＤ処理とは、ＣＡＤシステムによる設計支援処理を示している。ＣＡＤ処理では、設計プラン情報データベースＤＢ１にアクセスし、顧客ＩＤに対応付けて記録されているＣＡＤデータ、基本プランとなるＣＡＤデータ等のＣＡＤデータを抽出し、適宜、内容の追加及び修正を行うことにより行われる。
【００４４】
制御部１０は、ＣＡＤデータに基づいて表示部１４に建築物の図面を表示させる（Ｓ１０２）。
【００４５】
図４は、本願記載の設計支援装置１が備える表示部１４に表示される画像の一例を示す説明図である。図４は、ステップＳ１０２にて表示される画像の一例を示しており、ＣＡＤデータに基づく建築物の図面が表示されている。図４では、建築物の見取り図を図面として表示しているが、平面図、立面図、３Ｄ画像等の様々な図面を表示させることが可能である。また、表示される画像の上部には、様々な命令を実行させるためのメニュー用アイコンが表示されている。使用者は、表示部１４に表示された建築物の図面のうち、部材を選択したい取付部位を指定する入力を行うことにより、指定した取付部位についての部材の選択が可能となる。取付部位の指定は、例えば、図面中の窓の位置にカーソルを重畳し、クリックする操作を行うことにより行われる。なお、取付部位の指定は、図面に対して行うのではなく、上方に表示されているメニュー用アイコンから指定するようにしてもよい。メニュー用アイコンから指定する場合、図４に例示した画像の最上部に表示されているメインメニュー用アイコンから取付部位の指定を示すアイコンを指示することにより、下方にサブメニュー用アイコンが表示され、サブメニュー用アイコンから、例えば窓を示すアイコンを指示することにより行われる。
【００４６】
図３のフローチャートに戻り、制御部１０は、図面として表示させた建築物に関する取付部位の指定を入力部１３から受け付ける（Ｓ１０３）。制御部１０は、部材情報データベースＤＢ２にアクセスし、指定された取付部位を示す取付部位情報に対応付けて記録されている部材情報を抽出する（Ｓ１０４）。ステップＳ１０４において、一の取付部位、例えば、「窓」に対応する部材情報の数は膨大であるため、部材情報の抽出には段階的な絞り込み処理を経て行うことが望ましい。
【００４７】
図５は、本願記載の設計支援装置１が備える表示部１４に表示される画像の一例を示す説明図である。図５は、ステップＳ１０４で部材情報を抽出する際に、抽出に係る段階的な絞り込みの際に表示される画像の一例を示している。図５に例示する画像は、取付部位の指定を行った際に、それまで表示されている図面に重畳してメニュー画面がポップアップ表示された状態を示しており、指定された取付部位に当てはめ可能な部材を示すアイコンと、その説明とが示されている。図５に示すアイコンは、窓の形状を模式化した画像を示しており、その形状の説明として、アイコンの下方に「引違２枚」、「引違３枚」、「片引き」、「大開口」等の文言が表示されている。図５に例示したポップアップ表示されるメニュー画面から所望する部材を指定する入力を行うことにより、ステップＳ１０４の部材情報の抽出に際し、抽出する情報の絞り込みを行うことができる。
【００４８】
図３のフローチャートに戻り、制御部１０は、部材情報データベースＤＢ２から抽出した部材情報を表示部１４に行列表示する（Ｓ１０５）。ステップＳ１０５では、部材情報データベースＤＢ２に記録されている属性に基づいて、部材の第１属性を行方向とし、部材の第２属性を列方向として分類した行列形式で部材情報を表示する。
【００４９】
図６は、本願記載の設計支援装置１が備える表示部１４に表示される画像の一例を示す説明図である。図６は、ステップＳ１０５において、行列形式で表示される部材情報の一例を示している。図６は、「窓」に関する部材情報であり、行方向は、第１属性として設定されている幅方向の寸法を示す「１」、「１．２５」、「１．５」、「１．７５」等の分類別に並べて配置されている。行列形式の列方向は、第２属性として設定されている高さ方向の寸法及び種類を示す「ＡＡＡ１」、「ＡＡＡ２」等の分類別に並べて配置されている。なお、第２属性の説明として、分類別の種類を示す情報に加えて、「サッシＨ」として寸法を示す数値が示されている。即ち、各部材情報が、第１属性及び第２属性を示す行列形式の表として並べて表示されている。また、列方向に示された各属性に係る部材については、「換気框」の有無、床（ＦＬ）から下額縁までの寸法等の付属情報も行方向に表示されている。即ち、行列形式で表示された部材情報は、列方向に第２属性として示された種類毎に、第１属性となる寸法及び付属情報が行方向に並べて示されている。
【００５０】
行列形式の表は、行方向及び列方向に長方形のセルを配置したマトリクスとして表示されており、行列形式で配置されたセル内には、部材の第３属性に応じた表示方法で符号が表示されている。第３属性が「選択不可」である場合、「×」が表示され、そのセルに該当する寸法の部材が存在しないことを示している。選択可能である場合、部材の級に応じて、推奨品である場合は黒字、標準品である場合は赤字で、その部材の構造を示す符号が表示される。なお、特注品となる場合は、空欄として表示される。部材の構造は、記号及び文字を組み合わせた「□Ａ」、「○Ａ」、「△Ａ」等の符号を用いて表示される。例えば、「○」は、「標準・片入隅・両入隅」等の設定があることを示し、「□」は標準のみの設定があることを示している。また、符号「Ａ」は、ＣＰ（Crime Prevention）部品と呼ばれる防犯性が高い部材の設定があることを示している。更に、各セルは、現在指定されているセルの行方向及び列方向、並びに選択の可否に応じて異なる色に着色されている。
【００５１】
行列形式の表は、第４属性として設定された部材の用途毎に設定されており、用途を示す第４属性は、表の上部に示されたタブを指定することにより選択することができる。第４属性の部材の用途としては、「１階（軸高標準）」、「１階（軸高２４２ＵＰ）」、「２階（軸高標準）」、等の情報が設定されており、それぞれタブに表示されている。また、タブは、着色されており、現在指定されているタブの他、「一般的な場所への設置可能」、「２階の高さが特殊な場合の設置用」等の用途の上位概念に応じて色分けされている。このように、行列形式の表は、第４属性毎に分類された行列形式で表示され、タブを指定することにより、指定された用途の行列形式の表が表示される。
【００５２】
図６に示された表から、特定のセルを指定する入力操作を行うことにより、部材の選択を行うことができる。
【００５３】
図３のフローチャートに戻り、制御部１０は、表示部１４に行列形式で表示された部材情報の選択を入力部１３から受け付ける（Ｓ１０６）。部材情報の選択を受け付けた場合、選択された部材情報の詳細が、それまで表示されている図面に重畳して表示部１４にポップアップ表示される。
【００５４】
図７は、本願記載の設計支援装置１が備える表示部１４に表示される画像の一例を示す説明図である。図７は、ステップＳ１０６において、部材情報の選択を受け付けた場合に、部材情報がポップアップして重畳表示された状態の例を示している。部材情報の詳細としては、色、取付高さ、ガラス種類、高さタイプ、窓タイプ、幅、喚起框の有無等の部材に関する具体的な情報と、ＣＡＤシステムによる図面上に表示される記号とが表示される。このような部材情報の詳細を表示することにより、選択した部材情報にて示される部材の確認を行うことができる。
【００５５】
図３のフローチャートに戻り、制御部１０は、ステップＳ１０５にて選択された部材情報の配置位置の指示を受け付ける（Ｓ１０７）。ステップＳ１０３において、取付部位をメニュー用アイコンから指定した場合、選択した部材情報に係る部材の配置位置を、ＣＡＤデータに基づく建築物の図面に対して指示する。例えば、取付部位が「窓」である場合、図面上のいずれかの窓を指示する操作を行うことになる。なお、ステップＳ１０３において、取付部位をＣＡＤデータに基づく建築物の図面から指定している場合、既に配置位置の指示が行われていることになるので、ステップＳ１０７の処理は省略される。
【００５６】
制御部１０は、部材情報データベースＤＢ２にアクセスし、ステップＳ１０５にて選択された部材情報について、関連部材の有無を判定する（Ｓ１０８）。ステップＳ１０８では、部材情報データベースＤＢ２にアクセスし、選択した部材情報に対し、関連部材が対応付けて記録されているか否かを判定し、関連部材が記録されている場合、関連部材があると判定し、関連部材が記録されていない場合、関連部材がないと判定する。
【００５７】
ステップＳ１０８において、関連部材があると判定した場合（Ｓ１０８：ＹＥＳ）、制御部１０は、対応付けられている関連部材を示す関連部材情報を抽出し（Ｓ１０９）、抽出した関連部材情報を表示する（Ｓ１１０）。ステップＳ１１０における関連部材情報の表示は、例えば、ステップＳ１０５と同様の行列形式での表示とすることができる。ただし、対応付けられている関連部材情報の数が少ない場合、関連部材情報が一つしか記録されていない場合、属性が設定されていない場合等のように、行列形式で表示したとしても使用性の大幅な向上が見込めない場合、行列表示以外の方法で表示してもよい。ステップＳ１１０において、関連部材情報が複数表示された場合、使用者は、表示されている関連部材情報の中から所望する関連部材情報を選択する入力を行う。関連部材情報が一つのみ表示された場合、使用者は、表示されている関連部材情報を確認した旨の入力を行う。
【００５８】
制御部１０は、関連部材情報の選択又は確認を入力部１３から受け付け（Ｓ１１１）、ステップＳ１０１に戻り、ＣＡＤ処理を実行して、ステップＳ１０６で選択された部材及びステップＳ１１１で選択された関連部材にＣＡＤデータを更新する。表示されている図面についても、選択された部材に基づいて再描画が実行される。
【００５９】
ステップＳ１０８において、関連部材がないと判定した場合（Ｓ１０８：ＮＯ）、制御部１０は、ステップＳ１０１に戻り、ＣＡＤ処理を実行して、ステップＳ１０６で選択された部材にＣＡＤデータを更新し、表示されている図面の再描画を実行する。
【００６０】
以上のように、本願記載の設計支援装置１の部材選択処理では、ＣＡＤデータに基づいて表示されている建築物の図面から、取付部位に対して取り付ける部材を選択することが可能である。しかも部材の選択には、部材情報を第１属性及び第２属性に分類して行列表示したユーザーインターフェースが提供される。これにより、部材選択に対する使用性を向上することが可能である等、優れた効果を奏する。
【００６１】
このようにして部材選択処理が実行される。
【００６２】
図８は、本願記載の設計支援装置１の集計情報表示処理の一例を示すフローチャートである。集計情報表示処理は、部材情報に関連する集計結果、例えば、出荷数を表示する処理であり、部材の選択に際しての参考とする情報を提供する処理である。設計支援装置１が備える制御部１０は、設計支援プログラム１１０、ＣＡＤプログラム１１１等の各種プログラムを実行することにより、集計情報表示処理を実行する。
【００６３】
設計支援装置１が備える制御部１０は、ＣＡＤ処理を実行し（Ｓ１０１）、集計情報を要求する入力を受け付ける（Ｓ２０１）。ステップＳ１０１に示すＣＡＤ処理は、部材選択処理のステップＳ１０１におけるＣＡＤデータ処理と同様である。ステップＳ２０１の集計情報の要求の入力受付は、ＣＡＤ処理実行中であれば、例えば、部材選択処理の実行中であっても割込処理として実行することが可能である。具体的には、取付部位の指定を受け付け、部材情報を行列表示している状態で、集計情報を要求する入力を行うことも可能である。
【００６４】
制御部１０は、集計情報データベースＤＢ４にアクセスして、集計情報を抽出する（Ｓ２０２）。ステップＳ２０２において、例えば、取付部位が指定された後に、集計情報が要求された場合、指定されている取付部位を示す取付部位情報に対応付けられた部材に関する集計情報が抽出される。
【００６５】
制御部１０は、集計情報データベースＤＢ４から抽出した集計情報を表示部１４に行列表示する（Ｓ２０３）。ステップＳ２０３では、集計情報データベースＤＢ４から抽出した集計情報を、部材情報データベースＤＢ２に記録されている属性に基づいて、部材の第１属性を行方向とし、部材の第２属性を列方向とした行列形式で表示する。
【００６６】
図９は、本願記載の設計支援装置１が備える表示部１４に表示される画像の一例を示す説明図である。図９は、ステップＳ２０３において、行列形式で表示される集計情報の一例を示している。図９は、「窓」に関する部材の集計情報であり、行方向は、第１属性として設定されている幅方向の寸法に基づく分類別に並べて配置されている。行列形式の列方向は、第２属性として設定されている高さ方向の寸法及び種類を示す分類別に並べて配置されている。図９に例示した集計情報は、図６に例示した部材情報の表示状態から集計情報を要求した場合に表示される状態を示している。従って、第１属性及び第２属性の配置は、図６と同様である。ただし、第１属性の幅方向の寸法を示す分類を更に細分化した補助分類が設定されている。図９に例示する補助分類は、図６では、符号で示された「標準」、「片入隅」、「両入隅」等の設定であり、図９では、これらの設定毎に細分化した項目毎に集計を行った集計情報を表示している。
【００６７】
行列形式の表は、行方向及び列方向に長方形のセルを配置したマトリクスとして表示されており、行列形式で配置されたセル内には、集計した数値を示す数字（図面中では「・」として記載）が表示されている。集計する内容は適宜設定することが可能であるが、例えば、出荷数を示す件数を数値として示すことにより、人気を示す指標として用いることができる。各セルのうち、選択不可である部材については、数字は記載されておらず、選択可能である部材については、集計した数値に応じて「０」又は「１」以上の数値が表示されている。また、各セルは、「推奨品」、「標準品」「特注品」等の級に応じて異なる色に着色されている。使用者は、集計情報を表示させた後、所定の操作を行うことにより、集計情報を閉じ、元の画面に戻すことができる。
【００６８】
以上のように、本願記載の設計支援装置１の集計情報表示処理では、部材に関して集計した情報を表示することにより、部材選択の参考とすることが可能であり、これにより、部材選択に対する使用性を向上することが可能である等、優れた効果を奏する。
【００６９】
図９では、部材選択の参考とする情報として、出荷数を集計した集計情報を表示する形態を示したが、出荷数以外にも平均納期、在庫数等の様々な集計値を表示することが可能である。また、行方向の分類を第１属性とするのではなく、出荷した年月毎に表示する等、様々な表示方法に展開することが可能である。
【００７０】
このようにして、集計情報表示処理が実行される。
【００７１】
ここでは、部材選択の参考とする情報として、集計情報表示処理について説明したが、本願記載の設計支援装置１は、その他にも、選択した部材を用いた場合の価格を表示する等、様々な情報を表示することが可能である。
【００７２】
図１０は、本願記載の設計支援装置１が備える表示部１４に表示される画像の一例を示す説明図である。図１０は、選択した部材を用いた場合の価格を計算（シミュレーション）した結果を行列形式で表示している。行方向には、「現在」の価格に関する情報、選択した部材を用いた「シミュレーション１」の価格に関する情報及び「シミュレーション２」の価格に関する情報に分類されて表示されている。また、補助分類として、「出荷実績数（出荷比率）」、「価格」等の項目が設置されている。列方向には、「推奨品」、「標準品」、「特注品」等の項目の分類が設定されており、列方向の合計を示すセルが設定されている。使用者は、部材を仮選択することにより、現在の設定での価格と、部材を変更した場合の再計算価格（シミュレーション価格）とを比較し、また、出荷実績を考慮して部材を選択することができる。
【００７３】
図１１は、本願記載の設計支援処理の記録／終了処理の一例を示すフローチャートである。上述したように様々な処理を実行して部材を選択した結果となるＣＡＤデータは、所定の操作を受け付けて、記録／終了処理を実行することにより、設計プラン情報データベースＤＢ１に記録される。設計支援装置１が備える制御部１０は、設計支援プログラム１１０、ＣＡＤプログラム１１１等の各種プログラムを実行することにより、記録／終了処理を実行する。
【００７４】
設計支援装置１が備える制御部１０は、ＣＡＤ処理を実行し（Ｓ１０１）、入力部１３から記録／終了処理の入力を受け付ける（Ｓ３０１）。ステップＳ１０１に示すＣＡＤ処理は、部材選択処理のステップＳ１０１におけるＣＡＤデータ処理と同様である。ステップＳ３０１の記録／終了処理の入力受付は、ＣＡＤ処理実行中であれば、割込処理として実行することが可能である。
【００７５】
記録／終了処理の入力を受け付けた制御部１０は、設計プラン情報データベースＤＢ１等の各種データベースにアクセスし、部材の選択を受けて更新したＣＡＤデータ等の各種情報を記録し（Ｓ３０２）、ＣＡＤ処理を含む各種処理を終了する（Ｓ３０３）。
【００７６】
記録／終了処理により各種データベースの記録内容は更新され、管理支援装置２、制裁支援装置等の各種装置は、更新されたデータベースへのアクセスが可能となる。
【００７７】
以上のようにして記録／終了処理が実行される。
【００７８】
以上説明したように本願記載の設計支援装置１は、例えば、部材選択処理において、部材情報を第１属性及び第２属性に分類して行列表示すること等により、使用性を向上することが可能である等、優れた効果を奏する。また、参考資料として、行列表示された集計情報等の閲覧することが可能であり、使用性を向上させている。
【００７９】
本発明は、以上説明した実施形態に限定されるものではなく、他のいろいろな形態で実施することが可能である。そのため、かかる実施形態はあらゆる点で単なる例示にすぎず、限定的に解釈してはならない。本発明の範囲は請求の範囲によって示すものであって、明細書本文には、なんら拘束されない。更に、請求の範囲の均等範囲に属する変形や変更は、全て本発明の範囲内のものである。
【００８０】
例えば、図６に例示した行列表示の形態は、部材情報の表示の一例に過ぎず、本願記載の設計支援装置１は、他の方法で部材情報を行列表示することも可能である。
【００８１】
図１２は、本願記載の設計支援装置１が備える表示部１４に表示される画像の一例を示す説明図である。図１２は、図６に例示した部材情報の行列表示の他の形態を示している。図１２では、図６同様、「窓」に関する部材情報として、行方向に第１属性として設定されている幅方向の寸法に基づき分類した項目をとり、列方向に第２属性として設定されている高さ方向の寸法及び種類に基づき分類した項目をとって、分類した部材情報を行列表示している。
【００８２】
図１２に例示する行列表示において、セル内には、第３属性、即ち、選択不可を示す「×」、推奨品を示す「◎」、標準品を示す「○」及び特注品を示す「−」のみが示されている。図１２に例示するように行列表示する場合、第１属性及び第２属性として設定する項目の他、第３属性の表現方法についても、適宜設定することが可能である。
【００８３】
更に、前記実施形態では、設計支援装置１を使用者が直接操作する形態を示したが、本発明はこれに限らず、設計支援装置１を通信網上のウェブサーバコンピュータとして設置し、使用者が操作する端末装置に対して設計支援装置１からウェブサービスを提供する形態等、様々な形態に展開することが可能である。
【符号の説明】
【００８４】
１        設計支援装置
１０      制御部
１１      記録部
１１０    設計支援プログラム
１１１    ＣＡＤプログラム
ＤＢＬ１    設計プラン情報データベース（ローカル）
ＤＢＬ２    部材情報データベース（ローカル）
ＤＢＬ３    物件情報データベース（ローカル）
ＤＢＬ４    集計情報データベース（ローカル）
１２      記憶部
１３      入力部
１４      表示部
１５      出力部
１６      通信部
２        管理支援装置
３        生産支援装置
ＤＢ１        設計プラン情報データベース
ＤＢ２        部材情報データベース
ＤＢ３        物件情報データベース
ＤＢ４        集計情報データベース
ＤＢ５        在庫情報データベース
【図１】
2020113093.tif 000003
【図２】
2020113093.tif 000004
【図３】
2020113093.tif 000005
【図４】
2020113093.tif 000006
【図５】
2020113093.tif 000007
【図６】
2020113093.tif 000008
【図７】
2020113093.tif 000009
【図８】
2020113093.tif 000010
【図９】
2020113093.tif 000011
【図１０】
2020113093.tif 000012
【図１１】
2020113093.tif 000013
【図１２】
2020113093.tif 000014